(57)【要約】【課題】キャリーケースカバーがキャリーケースに付けられている状態において、キャリーケースへのものの出し入れや確認に要する手間、時間、労力を軽減し、キャリーケースの長さに応じて長さを調節しやすく、不使用時には小さくしやすいキャリーケースカバーを得る。【解決手段】少なくともキャリーケースの上面と蓋面を覆う大きさで、キャリーケースの引き手を差し込む穴を備え柔軟性を備えるフィルムと、キャリーケースへ装着された状態において、前記キャリーケースの上面側の縁またはその近傍で前記フィルムを支える骨として機能する部材または形態と、前記キャリーケースの蓋面側の下端の縁またはその近傍で骨として機能する部材または形態とを備え、前記蓋面側にあたる位置に、前記キャリーケースと固定するための部材または形態を備える構成によって、キャリーケースカバーを構成する。【選択図】図７
2016127897.tif 000002
【特許請求の範囲】
【請求項１】
少なくともキャリーケースの上面と蓋面を覆う大きさで、キャリーケースの引き手を差し込む穴を備え柔軟性を備えるフィルムと、キャリーケースへ装着された状態において、前記キャリーケースの上面側の縁またはその近傍で前記フィルムの骨として機能する部材または形態と、前記キャリーケースの蓋面側の下端の縁またはその近傍で前記フィルムの骨として機能する部材または形態とを備え、前記蓋面側にあたる位置に、前記キャリーケースと固定するための部材または形態を備える、キャリーケースカバー。
【請求項２】
骨として機能する部材または形態が、前記フィルム面に複数あり、その少なくとも一部が、前記フィルムより大きい厚みを備えている構成を加えた、請求項１記載のキャリーケースカバー。
【請求項３】
骨として機能する部材または形態の少なくとも一部が、キャリーケースカバーの左右端をつないでいて、前記キャリーケースカバーをキャリーケースへ固定する部材または形態を兼ねている、請求項１または２に記載のキャリーケースカバー。
【請求項４】
骨として機能する部材または形態が、これに接続される前記フィルムを立体形態にする、請求項１から３に記載のキャリーケースカバー。
【発明の詳細な説明】
【技術分野】
【０００１】
本発明は、降雨や降雪などによる濡れからキャリーケースを守るためのキャリーケースカバーに関するものである。
【背景技術】
【０００２】
図１３は一般的なキャリーケースの外観形状を示す斜視図である。図を参照して、一般的なキャリーケースは、ものの収容箱（３ａ）と、前記開口部の蓋面（３）と、キャリーケースを移動する際にひとが持つための引き手（１）と、キャリーケースが床や地面の上で移動するための車輪（３ｃ）とから構成され、ものを出し入れするための開口部（３ｂ）を備える。
【０００３】
図１４は従来のキャリーケースカバーの外観形状を示す斜視図である。従来のキャリーケースカバー（２０）は、上記のような一般的なキャリーケースへの装着において、キャリーケースの引き手（１）を前記キャリーケースカバーの外へ出すための穴（４）を備え、収容箱（３ａ）および蓋面（３）の、車輪が取り付けられている面以外の面を覆う箱状の形態のフィルムから構成される（特許文献４参照）。一部には、車輪が取り付けられている面まで覆う形態を備えるキャリーケースカバーもある（特許文献１、３参照）。
【０００４】
図１５は従来のキャリーケースカバーをキャリーケースへ装着する手順の一部を示す斜視図である。一般的なキャリーケースへの従来のキャリーケースカバー（２０）の装着に際しては、開口部（５）からキャリーケースへ被せ、引き手（１）を穴（４）に差込み貫通させ、上面（２）が当たる位置まで下げることによって、収容箱（３ａ）と蓋面（３）とが覆われる。
【０００５】
キャリーケースの長さ（３ｄ）に対して長さが大きく、余剰なフィルム部分を切除しやすくなっているキャリーケースカバーの場合は、余剰部分を切除する（特許文献２参照）。
【先行技術文献】
【特許文献】
【０００６】
【特許文献１】特開２００８−２９７７９
【特許文献２】特開２０１３−１９２９１７
【特許文献３】実用新案登録第３１１２５９７号
【特許文献４】実用新案登録第３１４８５９６号
【発明の概要】
【発明が解決しようとする課題】
【０００７】
図１６は、従来のキャリーケースカバー（２０）が一般的なキャリーケースへ装着された状態を示す斜視図である。このようなキャリーケースカバーでは、キャリーケースにキャリーケースカバーを付けたまま収容箱（３ａ）へのものの出し入れや確認などを行うのが困難である。具体的には、一般的なキャリーケースでは、蓋面（３）は収容箱（３ａ）と接続する１辺をヒンジとして開閉する構造のため、前記蓋面がキャリーケースカバーで覆われていない状態にならなければ開けることができない。そのため、穴（４）を貫通している引き手（１）に沿って、前記蓋面を覆わない位置にまでキャリーケースカバーを上方移動して手などで保持するか、キャリーケースから取り除く必要があり、キャリーケースカバーの脱着や保持に、手間、時間、労力を要するという欠点がある。また、取り除かれている間は、降雨や降雪などによるキャリーケースの濡れを防ぐことができない。
【０００８】
図１７は、一般的なキャリーケースをひとが引いて移動している状態を示す側面図である。
このように、ひとがキャリーケースの引き手を掴んでキャリーケースを移動するとき、前記キャリーケースは、引き手を引かれることによって、引き手を持つひと側へ傾斜した状態となって移動する。このとき、上空から落下して来る雨や雪などによる濡れを防ぐことに対して、キャリーケースの上側となる面のカバーは有効だが、下側になる面のカバーの有効性は低い。従来のキャリーケースカバーは有効性の低い下側の面までを覆う形態であり、材料資源の無駄と、キャリーケースカバーの重量が過大になりやすいという欠点がある。
【０００９】
従来のキャリーケースカバーは箱状の形態のため、畳みにくく、不使用時にかさばりやすいという欠点がある。
【００１０】
キャリーケースの大きさは一定でないため、キャリーケースの幅や長さなどに応じて、提供される大、中、小などの選択肢の中から妥当な大きさのキャリーケースカバーを選ぶことになるが、適切な大きさのキャリーケースカバーがない場合がある。キャリーケースに対するキャリーケースカバーの位置は図１６に示されるようにキャリーケースの上面（２）で決まるため、キャリーケースカバーの長さがキャリーケースより大きい場合には、キャリーケースカバーが床や地面に擦れて汚れが付着したり破損したりしやすくなり、逆に長さが短い場合には、キャリーケースが濡れるという欠点がある。
【００１１】
余剰なフィルム部分を切除しやすいキャリーケースカバーでは、長さが不足しないよう長めに作られていることから、多くの場合において、切除の手間が生じる（特許文献２参照）。また、あるキャリーケースに合わせて切除すると、より長いキャリーケースに対しては、もはやキャリーケースカバーの長さが不足するため、新たに別のキャリーケースカバーを用意する必要が生じるという欠点がある。
【００１２】
本発明は、以上のような課題を解決するためになされたもので、キャリーケースカバーがキャリーケースに付けられている状態において、キャリーケースへのものの出し入れや確認に要する手間、時間、労力を軽減し、キャリーケースの大きさに応じて長さを調節しやすく、不使用時には小さくなって収納されやすいキャリーケースカバーを提供することを目的としている。
【課題を解決するための手段】
【００１３】
上記目的を達成するために、請求項１記載の発明は、キャリーケースカバーであって、少なくともキャリーケースの上面と蓋面を覆う大きさで、キャリーケースの引き手を差し込む穴を備え柔軟性を備えるフィルムと、キャリーケースへ装着された状態において、前記キャリーケースの上面側の縁またはその近傍で前記フィルムの骨として機能する部材または形態と、前記キャリーケースの蓋面側の下端の縁またはその近傍で前記フィルムの骨として機能する部材または形態とを備え、前記蓋面側にあたる位置に、前記キャリーケースと固定するための部材または形態を備えるものである。
【００１４】
このように構成すると、キャリーケースカバーをキャリーケースに付けた状態でも、前記キャリーケースの蓋面は覆われない。またキャリーケースを引いて移動するときに下側になる面は覆われない。
【００１５】
キャリーケースカバーのキャリーケースに対する固定位置の決定において、キャリーケースカバーの下端を基準にできる。
【００１６】
キャリーケースカバーを構成するフィルムの必要量が減少する。
【００１７】
骨として機能する複数の部材または形態の長手方向がほぼ平行となる。
【００１８】
請求項２記載の発明は、請求項１記載の発明の構成に加え、骨として機能する部材または形態が、前記フィルム面に複数あり、その少なくとも一部が、前記フィルムより大きい厚みを備えているものである。
【００１９】
このように構成すると、キャリーケースカバーのフィルムの形態が保持されやすくなる。
【００２０】
キャリーケースカバーを折り返したとき、骨として機能する部材どうしがかみ合う。
【００２１】
請求項３記載の発明は、請求項１または２に記載の発明の構成において、骨として機能する部材または形態の少なくとも一部が、キャリーケースカバーの左右端をつないでいて、前記キャリーケースカバーをキャリーケースへ固定する部材または形態を兼ねているものである。
【００２２】
このように構成すると、キャリーケースカバーのキャリーケースへの固定において力のかかる箇所が、骨として機能する部材または形態になる。
【００２３】
請求項４記載の発明は、請求項１から３に記載の発明の構成において、骨として機能する部材または形態が、これに接続される前記フィルムを立体形態にするものである。
【００２４】
このように構成すると、フィルムの形態が保持される剛性が高まり、キャリーケースの引き手がキャリーケースカバーの穴を貫通して、前記キャリーケースカバーが前記キャリーケースの上面に乗っている状態において、前記骨として機能する部材または形態およびフィルムの少なくとも一部が、庇状の形態を保持する。
【発明の効果】
【００２５】
以上の手段により、本発明にあっては次に列挙する効果が得られる。
【００２６】
請求項１記載の発明は、キャリーケースの上面と蓋面を覆い、キャリーケースの蓋面にあたる位置でキャリーケースへ固定される構成のため、ものの出し入れや確認は、キャリーケースの蓋面にあたる位置の固定を解くことで可能となり、手間、時間、労力が軽減される。
【００２７】
キャリーケースとの固定位置の決定において、キャリーケースカバーの下端を基準にできるため、キャリーケースの長さに合うようにキャリーケースカバーの下端の位置が調整され、前記キャリーケースカバーが床や地面に擦れて汚れが付着したり破損したりすることが防止される。
【００２８】
図１７に示されるようにキャリーケースを移動する際に降雨や降雪による濡れを防ぐ効果が低いキャリーケースの下側を覆わない構成のため、キャリーケースカバーの材料資源の量と重量が抑えられる。
【００２９】
キャリーケースカバーを使わないときには、骨として機能する部分を軸のようにしてフィルム部分を丸める、または畳む、ことによって小さくなる。
【００３０】
請求項２記載の発明は、請求項１記載の発明の効果に加えて、骨として機能する部材または形態が追加される構成のため、フィルム面が風などの影響で変形することが防止され、降雨や降雪などによる濡れからキャリーケースを守る能力が向上する。
【００３１】
骨として機能する部材または形態の一部が、フィルムより大きな厚みを備え、これが複数設けられる構成によって、前記フィルム上に複数の凸部が設けられる。これにより、キャリーケースの長さに合わせてキャリーケースカバーの前記フィルムを折り返すと、前記骨として機能する部材または形態どうしがかみ合う状態となる。そのため、キャリーケースが移動される過程で衝撃を受けたとしても、折り返した部分が動きにくくなり、折り返して調整されたキャリーケースカバーの長さが保持されやすい。
【００３２】
フィルムを折り返してキャリーケースカバーの長さを調整することにより、前記キャリーケースカバーとキャリーケースとの間の空間が少なくなるため、降雨や降雪などによる濡れからキャリーケースを守る能力が向上する。
【００３３】
キャリーケースの長さに合わせてキャリーケースカバーのフィルムを折り返すことによって長さを調整する構成なので、長さの異なる複数のキャリーケースに対し、折り返す位置を変えることで対応でき、複数のキャリーケース別にキャリーケースカバーを用意する手間とコストを抑えられる。
【００３４】
請求項３記載の発明は、請求項１または２に記載の発明の効果に加えて、キャリーケースカバーをキャリーケースへの固定において力のかかる箇所が、骨として機能する部材または形態になるため、キャリーケースカバーのフィルムが前記力による変形や損傷を受けにくくなり、耐久性が増す。
【００３５】
キャリーケースカバーをキャリーケースへ固定した状態において、フィルムへのしわの発生が抑えられ、キャリーケースカバーの美観を得られる。
【００３６】
請求項４記載の発明は、請求項１から３に記載の発明の効果に加えて、キャリーケースカバーの少なくとも一部がキャリーケース上で庇状の形態をとることができるため、降雨や降雪などがある環境でキャリーケースの蓋面が開いている状態において、降雨や降雪などによる濡れからキャリーケースの内側や収容物を防ぐ効果がある。
【００３７】
キャリーケースカバーがキャリーケースの蓋面や内側へ垂れ下がって収容物の出し入れや確認を妨げないように手などで支える必要がなく、キャリーケースへキャリーケースカバーを付けた状態で収容物の出し入れや確認が容易になる効果がある。
【図面の簡単な説明】
【００３８】
【図１】この発明の第１の実施の形態によるキャリーケースカバーの外観形状を示す平面図である。
【図２】この発明の第１の実施の形態によるキャリーケースカバーを、一般的なキャリーケースへ装着する手順の一部を示す斜視図である。
【図３】この発明の第１の実施の形態において、一般的なキャリーケースへ装着された状態の外観形状を示す斜視図である。
【図４】この発明の第２の実施の形態によるキャリーケースカバーの外観形状を示す平面図である。
【図５】図４のＸ−Ｘラインの断面図である。
【図６】この発明の第２の実施の形態によるキャリーケースカバーを一般的なキャリーケースへ装着する際に、キャリーケースカバーの長さを調節するためにフィルムが折り曲げられる様子を示す側面図である。
【図７】この発明の第２の実施の形態において、一般的なキャリーケースへ装着された状態の外観形状を示す斜視図である。
【図８】図７のＹ−Ｙラインの断面図である。
【図９】この発明の第３の実施の形態によるキャリーケースカバーの外観形状を示す平面図である。
【図１０】図９のＺ−Ｚラインの断面図である。
【図１１】この発明の第３の実施の形態において、一般的なキャリーケースへ装着された状態の外観形状を示す斜視図である。
【図１２】この発明の第３の実施の形態によるキャリーケースカバーを丸めて小さくした状態の外観形状を示す斜視図である。
【図１３】一般的なキャリーケースの外観形状を示す斜視図である。
【図１４】従来のキャリーケースカバーの外観形状を示す斜視図である。
【図１５】従来のキャリーケースカバーを一般的なキャリーケースへ装着する手順の一部を示す斜視図である。
【図１６】従来のキャリーケースカバーが一般的なキャリーケースへ装着された状態を示す斜視図である。
【図１７】一般的なキャリーケースをひとが引いて移動している状態を示す側面図である。
【図１８】この発明の第１の実施の形態によるキャリーケースカバーが、キャリーケース上で庇状の形態をとった外観形状の一例を示す斜視図である。
【発明を実施するための形態】
【００３９】
図１は、この発明の第１の実施の形態によるキャリーケースカバーの外観形状を示す平面図であり、図３は第１の実施の形態によるキャリーケースカバーが一般的なキャリーケースへ装着された状態の外観形状を示す斜視図である。
【００４０】
これらの図を参照して、第１の実施の形態によるキャリーケースカバーは、キャリーケースの引き手（１）を貫通させる穴（６）を備え、柔軟性のあるフィルム（７）と、（６）の奥側の縁にある、骨として機能する部材または形態（８）と、キャリーケースの蓋面（３）の下方側の縁にある、骨として機能する部材または形態（８ｃ）と、キャリーケースへ固定するための部材または形態（９）（９ａ）とから構成される。
【００４１】
一般的なキャリーケースへキャリーケースカバーを固定する際には、キャリーケースの車輪がある面の位置に合わせてキャリーケースカバーの下端の位置を決め、その状態で、キャリーケースへキャリーケースカバーを固定するための部材または形態（９）（９ａ）により固定する。（９）は、（９ａ）がキャリーケースへの固定に適した長さでキャリーケースカバーへ接続されるための機能を備える。例えば、（９）に紐状の（９ａ）が通る穴を設けておき、（９ａ）の端を通して結び目を作り、（９ａ）が結び目の無い向きへ動かないようにしてキャリーケースカバーをキャリーケースへ固定するしくみなどがありうる。
【００４２】
図３に示されるように、本発明のキャリーケースカバーは、図１７に示す移動中の状態において、上空から落下する雨や雪などによる濡れを防ぐことに対して有効な、一般的なキャリーケースの上面（２）と蓋面（３）を覆う。これにより、材料資源の無駄と、キャリーケースカバーの重量が過大となることが防止される。
【００４３】
図２は第１の実施の形態によるキャリーケースカバーを一般的なキャリーケースへ装着する手順の一部を示す斜視図である。図１５は、従来のキャリーケースカバーを一般的なキャリーケースへ装着する手順の一部を示す斜視図である。図１６は、従来のキャリーケースカバーが一般的なキャリーケースへ装着された状態を示す斜視図である。
【００４４】
これらの図と図３を参照して、本発明のキャリーケースカバーでは、一般的なキャリーケースへキャリーケースカバーを付けた状態でキャリーケースへのものの出し入れと確認を容易にし、手間、時間、労力を軽減できる点について、従来のキャリーケースカバー（２０）と対比して説明する。
【００４５】
従来のキャリーケースカバー（２０）は、底部に開口部（５）があり、他の面は閉じた箱状の形態である。キャリーケースへの装着においては、図１５に示されるように、キャリーケースの引き手（１）を穴（４）に貫通させる。図１６に示されるように、この状態ではキャリーケースの蓋面（３）を開けることはできない。（３）を開けるためには、キャリーケースカバーが（３）を覆わない位置まで（１）に沿って持ち上げて手などで保持するか、キャリーケースから取り外す必要がある。
【００４６】
これに対し、本発明のキャリーケースカバーでは、図２に示すように、フィルム（７）に設けた穴（６）にキャリーケースの引き手（１）を貫通させ、図３に示すようにキャリーケース蓋面（３）に近接する位置にある部材または形態（９）（９ａ）によって、キャリーケースと固定される。
【００４７】
図３の状態ではキャリーケースの蓋面（３）を開けることはできないが、（９）（９ａ）によるキャリーケースカバーとキャリーケースとの固定を解くことによって、図２の下の図に示されるように、（３）を自由に開閉できる状態になる。つまり、キャリーケースカバーに設けた穴（６）にキャリーケースの引き手（１）を貫通させてある状態で、キャリーケースの蓋面（３）を開けることができる。
【００４８】
フィルム（７）は柔軟性があるため、キャリーケースの上面（２）に畳んで置いておくことができ、ひとが保持し続ける必要はない。（２）が降雨や降雪などにより濡れるのを防ぐ効果を保持し、キャリーケースの蓋面（３）の開閉を妨げない。
【００４９】
また、図１８に例示されるように、骨として機能する部材または形態（８）（８ｃ）を、例えば上下方向に少し湾曲した形態とし、さらにフィルム（７）の剛性を調整することによって、キャリーケースカバーの一部はキャリーケース上で庇状の形態をとることが可能となる。この状態では、（３）を開けた状態であっても、（３）の内側、収容箱（３ａ）の内側が濡れにくくなり、収容物の出し入れや確認を、収容物を濡らさずに行いやすくなる。またキャリーケースカバーが垂れ下がらないように手などで支える必要がなく、収容物の出し入れや確認が容易になる。なお、図１８の状態における（７）の剛性は、通常程度の降雨などでは（７）の形態が保持され、（７）に手で力をかければキャリーケースの蓋面（３）を覆って前記キャリーケースへ固定できるように曲がる程度とする。
【００５０】
図４は、この発明の第２の実施の形態によるキャリーケースカバーの外観形状を示す平面図であり、図５は図４のＸ−Ｘラインの断面図である。図７はこの発明の第２の実施の形態によるキャリーケースカバーが一般的なキャリーケースへ装着された状態の外観形状を示す斜視図である。図８は図７のＹ−Ｙラインの断面図である。図６は、この発明の第２の実施の形態によるキャリーケースカバーのフィルムが、キャリーケースに合わせた長さ調節のために折り曲げられる様子を示す側面図である。
【００５１】
これらの図を参照して、第２の実施の形態によるキャリーケースカバーは、キャリーケースの上面（２）の引き手（１）を貫通させる穴（６）を備え柔軟性のあるフィルム（７）と、（６）の奥側の縁にある、骨として機能する部材または形態（８）と、キャリーケースの蓋面（３）の下方側の縁にある、前記フィルムより厚みが大きく、骨として機能する部材または形態（８ａ）と、キャリーケースへキャリーケースカバーを固定するための部材または形態（９ａ）とから構成される。
【００５２】
骨として機能する部材または形態（８ａ）は、キャリーケースカバーをキャリーケースへ固定する部材または形態を兼ねており、（８ａ）の左右端は、紐状の（９ａ）を接続でき、（８ａ）は、（９ａ）がキャリーケースの固定に適した長さでキャリーケースカバーへ固定されるための機能を備える。（９ａ）と（８ａ）は一体的に、キャリーケースカバーとキャリーケースを固定するはたらきをする。
【００５３】
図６に示されるように、キャリーケースに対してフィルム（７）が長ければ、適当な位置で（７）を折り返すことによって、前記キャリーケースに対して適切な長さのキャリーケースカバーになる。
【００５４】
フィルム（７）を折り返す向きは、カバーの内側でも外側でも構わない。ただし、外側は降雨や降雪による水がフィルムの折り目（１０）の内側に溜まるおそれがあるため、内側へ折り返す方が望ましい。
【００５５】
骨として機能する部材または形態（８ａ）は、フィルム（７）上の凸部となり、その幅を超える間隔をあけて複数設けられる構成により、（７）が折り返されたとき、図８に示されるように、（８ａ）どうしがかみ合うかたちとなる。これにより、フィルムの折り目（１０）の位置が変わりにくくなり、調整されたキャリーケースカバーの長さが保持されやすくなる。
【００５６】
フィルム（７）は、図８に示されるように、比較的小さな曲率で１８０度曲げられる程度の柔軟性を備える必要がある。
【００５７】
フィルムの折り目（１０）の動く幅は、（８ａ）の配置間隔に応じて決まる。配置間隔を狭くすれば（１０）の動く幅は小さくなる。ただし、フィルム（７）を折り返して（８ａ）どうしがかみ合える程の配置間隔にする必要はある。
【００５８】
骨として機能する部材または形態（８ａ）のフィルム（７）上での位置は、装着される可能性のある複数のキャリーケースの長さに対してキャリーケースカバーの長さを合わせやすい位置とする。
【００５９】
骨として機能する部材または形態（８ａ）は、図５に示されるように、フィルム（７）の両面を凸部としてもよいが、図８に示される、（７）が折り返されている状態において、折り目（１０）の内側だけ、すなわち（８ａ）どうしがかみ合う側だけを、凸部としてもよい。
【００６０】
また、フィルム（７）の左右の幅いっぱいに、骨として機能する部材または形態（８ａ）または（８ａ）の凸部を設ける必要はなく、例えば、（７）の左右の２箇所だけなどに限定してもよい。
【００６１】
骨として機能する部材または形態（８ａ）の、フィルム（７）面上の凸部の断面形状は、図８のように（７）が折り返された状態で、かみ合って動きにくいものであることが望ましい。
【００６２】
図９はこの発明の第３の実施の形態によるキャリーケースカバーの外観形状を示す平面図であり、図１０は図９のＺ−Ｚラインの断面図である。図１１は第３の実施の形態によるキャリーケースカバーが一般的なキャリーケースへ装着された状態の外観形状を示す斜視図である。
【００６３】
これらの図を参照して、第３の実施の形態によるキャリーケースカバーは、キャリーケースの引き手（１）を貫通させる穴（６）を備え柔軟性のあるフィルム（７）と、（６）の奥側の縁にある、骨として機能する部材または形態（８）と、キャリーケースの蓋面（３）に近い上面（２）にあたる位置にある、骨として機能する部材または形態（８ｄ）と、（３）の下方側の縁にある、骨として機能する部材または形態（８ｂ）と、キャリーケースへキャリーケースカバーを固定するための部材（９ｂ）とから構成される。
【００６４】
骨として機能する部材または形態（８）に加え（８ｄ）があることによって、フィルム（７）の、キャリーケース上面（２）側の、特に左右の端の部分が水平に近い状態に保持されやすくなり、降雨や降雪などによる濡れからキャリーケースを守る効果が高まる。
【００６５】
キャリーケースへキャリーケースカバーを固定するための部材または形態（９ｂ）は、リング状で伸縮性を備える紐であり、例えば大きな輪ゴムのようなものである。
【００６６】
骨として機能する部材または形態（８ｂ）は、キャリーケースカバーをキャリーケースへ固定する部材または形態を兼ねており、（９ｂ）を沿わせて位置を固定することができる程度の幅と深さを持つ溝（１１）を備える。キャリーケースカバーをキャリーケースへ固定する際には、（８ｂ）に備わる（１１）に沿って（９ｂ）を配置し、（９ｂ）の収縮力によりキャリーケースへ固定する。これにより、（９ｂ）と（８ｂ）は一体的に、キャリーケースカバーとキャリーケースを固定するはたらきをする。
【００６７】
溝（１１）は、骨として機能する部材または形態（８ｂ）の左右全体に備わる必要はなく、キャリーケースへキャリーケースカバーを固定するための部材または形態（９ｂ）が収縮する力が（８ｂ）を介してフィルム（７）に伝わるならば、（１１）は（８ｂ）の一部に備わることでもよい。
【００６８】
図１２は、第３の実施の形態によるキャリーケースカバーを丸めて小さくした状態の外観形状を示す。
【００６９】
骨として機能する部材または形態（８）（８ｂ）（８ｄ）は、柔軟性があるフィルム（７）に対して、長手方向がほぼ平行に配置されている。これらは柔軟性に乏しいため、これらを軸のようにして（７）を丸めると、キャリーケースカバーを小さくできる。
【００７０】
このとき、キャリーケースへキャリーケースカバーを固定するための部材または形態（９ｂ）を用いて周囲から締めると、丸くなった状態が保持されやすい。
【００７１】
上記の第１から第３の実施の形態は、本発明の実施例の一部である。これらの実施例に含まれる要素を組み合わせて別の実施形態をとってもよい。
【００７２】
次に、実施において採用できる可能性がある、キャリーケースカバーの構成要素の内容を例示する。
【００７３】
本発明のキャリーケースカバーは、例えば１時間程度など、短期的な降雨および降雪による濡れを防ぐことを意図したものである。そのためフィルム（７）の材質は、短期的な降雨および降雪による濡れを防ぐことができるものであればよい。例えば、ポリエステル、ポリエチレンなどの樹脂、撥水加工された紙あるいは布などがありうる。
【００７４】
骨として機能する部材または形態（８）（８ａ）（８ｂ）（８ｃ）（８ｄ）の材質は、その形態に応じて、フィルム（７）が通常の風などでめくれることなどを防ぐ程度の強度と靭性を備えるものであればよく、例えば、木、金属、紙、樹脂、炭素繊維などがありうる。
【００７５】
骨として機能する部材または形態（８）（８ａ）（８ｂ）（８ｃ）（８ｄ）をフィルム（７）に取り付けるための手段は、例えば、縫い付け、溶着、接着、リベット留めなど、いずれでもよい。また、（７）への直接的な接続でなく、例えば、（７）に対し、中空部分のある部材を取り付け、この中空部に通すなどの方法でもよい。
【００７６】
また、骨として機能する部材または形態（８）（８ａ）（８ｂ）（８ｃ）（８ｄ）は、フィルム（７）と異なる部材である必要はなく、（７）の折り曲げや、材の厚みを増すことによって、（７）の一部が骨として機能してもよい。
【００７７】
また、骨として機能する部材または形態（８）（８ｄ）の形態は、直線、曲線、波型、直線と曲線の組み合わせなどのいずれでもよく、その断面は、例えば、丸、楕円、三角、四角、六角、星型などでも、また中空、Ｌ型、コ型などでもよい。また形態が一定である必要はない。
【００７８】
キャリーケースカバーとキャリーケースを固定するための部材または形態（９ａ）は、伸縮性を備えていてもよい。
【００７９】
フィルム（７）は、伸縮性を備えていてもよい。
【００８０】
図１２のようにキャリーケースカバーを丸めることは、骨として機能する部材または形態（８）（８ａ）（８ｂ）（８ｃ）（８ｄ）の長手方向がほぼ平行であれば、上記の第１、第２の実施例でも可能であり、この他の実施形態でも可能である。
【００８１】
図１２の、キャリーケースへキャリーケースカバーを固定するための部材または形態（９ｂ）の代わりに、収縮性の無い部材でキャリーケースカバーの丸くなった状態を保持してもよく、小さくなった状態のキャリーケースカバーが入る筒や袋などに入れて、その状態が保持されてもよい。
【符号の説明】
【００８２】
１  キャリーケースの引き手
２  キャリーケースの上面
３  キャリーケースの蓋面
３ａ  キャリーケースの収容箱
３ｂ  キャリーケースの開口部
３ｃ  キャリーケースの車輪
３ｄ  キャリーケースの長さ
４、６  キャリーケースの引き手をキャリーケースカバーの外へ出すための穴
５  従来のキャリーケースカバーの底部の開口部
７  フィルム
８  、８ｄ  骨として機能する部材または形態（キャリーケース上面側）
８ａ、８ｂ、８ｃ  骨として機能する部材または形態（キャリーケース蓋面側）
９、９ａ、９ｂ  キャリーケースと固定するための部材または形態
１０  折り目
１１  溝
２０  従来のキャリーケースカバー
【図１】
2016127897.tif 000003
【図２】
2016127897.tif 000004
【図３】
2016127897.tif 000005
【図４】
2016127897.tif 000006
【図５】
2016127897.tif 000007
【図６】
2016127897.tif 000008
【図７】
2016127897.tif 000009
【図８】
2016127897.tif 000010
【図９】
2016127897.tif 000011
【図１０】
2016127897.tif 000012
【図１１】
2016127897.tif 000013
【図１２】
2016127897.tif 000014
【図１３】
2016127897.tif 000015
【図１４】
2016127897.tif 000016
【図１５】
2016127897.tif 000017
【図１６】
2016127897.tif 000018
【図１７】
2016127897.tif 000019
【図１８】
2016127897.tif 000020